(57)【要約】【課題】Ａ／Ｄ変換器のダイナミックレンジを有効利用することができ、ひいては良好な断層画像を得ることのできる技術を提供する。【解決手段】本発明の撮像装置は、光源からの光を測定光と参照光とに分割し、測定光を被検査物に照射したときに被検査物から戻される戻り光と、参照光との干渉光の強度を波長毎に光電変換手段によってアナログ電気信号に変換し、アナログ電気信号をＡ／Ｄ変換手段によりデジタル電気信号に変換し、波長毎のデジタル電気信号に基づいて被検査物の断層画像を取得する装置であって、光電変換手段へ導かれる戻り光を遮断する遮断手段と、戻り光を遮断した状態で得られるデジタル電気信号の波長毎の値が、Ａ／Ｄ変換手段の入力レンジの中央部となるように、アナログ電気信号の波長毎の値、あるいはＡ／Ｄ変換手段の波長毎の入力レンジを調整する調整手段と、を有する。【選択図】図１
2011021945.tif 000002
【特許請求の範囲】
【請求項１】
光源からの光を測定光と参照光とに分割し、前記測定光を被検査物に照射したときに前記被検査物から戻される戻り光と、前記参照光との干渉光の強度を波長毎に光電変換手段によってアナログ電気信号に変換し、前記アナログ電気信号をＡ／Ｄ変換手段によりデジタル電気信号に変換し、波長毎の前記デジタル電気信号に基づいて前記被検査物の断層画像を取得するための、光干渉断層法を用いる撮像装置であって、
前記光電変換手段へ導かれる前記戻り光を遮断する遮断手段と、
前記戻り光を遮断した状態で前記Ａ／Ｄ変換手段により得られるデジタル電気信号である参照光信号の波長毎の値が、前記Ａ／Ｄ変換手段の入力レンジの中央部となるように、前記光電変換手段から出力されるアナログ電気信号の波長毎の値、あるいは前記Ａ／Ｄ変換手段の波長毎の入力レンジを調整する調整手段と、
を有することを特徴とする撮像装置。
【請求項２】
前記調整手段は、前記戻り光を遮断した状態で前記Ａ／Ｄ変換手段により得られるデジタル電気信号である参照光信号の波長毎の値が、前記Ａ／Ｄ変換手段の入力レンジの中央部となるように、前記光電変換手段から出力されるアナログ電気信号の波長毎の値、及び前記Ａ／Ｄ変換手段の波長毎の入力レンジを調整することを特徴とする請求項１に記載の撮像装置。
【請求項３】
前記調整手段は、前記参照光信号の波長毎の値に第１の所定値、第２の所定値を乗算した値を、それぞれ、前記波長毎の入力レンジの上限、下限とする
ことを特徴とする請求項１あるいは２に記載の撮像装置。
【請求項４】
前記光電変換手段は、入力された光の強度をアナログ電気信号に変換した後に、当該アナログ電気信号の値に所定のオフセット値を加算して出力する回路であり、
前記調整手段は、前記波長毎のオフセット値を調整する
ことを特徴とする請求項１乃至３のいずれか１項に記載の撮像装置。
【請求項５】
前記光電変換手段は、前記オフセット値が加算されたアナログ電気信号の値を、所定の増幅率で増幅して出力する回路であり、
前記調整手段は、前記波長毎の増幅率の値を調整する
ことを特徴とする請求項４に記載の撮像装置。
【請求項６】
光源からの光を測定光と参照光とに分割し、前記測定光を被検査物に照射したときに前記被検査物から戻される戻り光と、前記参照光との干渉光の強度を波長毎に光電変換手段によってアナログ電気信号に変換し、前記アナログ電気信号をＡ／Ｄ変換手段によりデジタル電気信号に変換し、波長毎の前記デジタル電気信号に基づいて前記被検査物の断層画像を取得するための、光干渉断層法を用いる撮像装置の制御方法であって、
前記光電変換手段へ導かれる前記戻り光を遮断するステップと、
前記戻り光を遮断した状態で前記Ａ／Ｄ変換手段により得られるデジタル電気信号である参照光信号の波長毎の値が、前記Ａ／Ｄ変換手段の入力レンジの中央部となるように、前記光電変換手段から出力されるアナログ電気信号の波長毎の値、あるいは前記Ａ／Ｄ変換手段の波長毎の入力レンジを調整するステップと、
を有することを特徴とする制御方法。
【請求項７】
光源からの光を測定光と参照光とに分割し、前記測定光を被検査物に照射したときに前記被検査物から戻される戻り光と、前記参照光との干渉光の強度を波長毎に光電変換手段によってアナログ電気信号に変換し、前記アナログ電気信号をＡ／Ｄ変換手段によりデジタル電気信号に変換し、波長毎の前記デジタル電気信号に基づいて前記被検査物の断層画
像を取得するための、光干渉断層法を用いる撮像装置に、
前記光電変換手段へ導かれる前記戻り光を遮断する遮断手段を制御させ、
前記戻り光を遮断した状態で前記Ａ／Ｄ変換手段により得られるデジタル電気信号である参照光信号の波長毎の値が、前記Ａ／Ｄ変換手段の入力レンジの中央部となるように、前記光電変換手段から出力されるアナログ電気信号の波長毎の値、あるいは前記Ａ／Ｄ変換手段の波長毎の入力レンジを調整させる
ことを特徴とするプログラム。
【請求項８】
請求項７に記載のプログラムを格納したことを特徴とするコンピュータが読み取り可能な記憶媒体。
【発明の詳細な説明】
【技術分野】
【０００１】
本発明は、光干渉断層法を用いる撮像装置、制御方法、プログラム、及び、記憶媒体に関し、特に医療分野に用いられる干渉光学系を用いた光干渉断層法を用いる撮像装置、制御方法、プログラム、及び、記憶媒体に関するものである。
【背景技術】
【０００２】
現在、光学機器を用いた眼科用機器には様々なものがある。例えば、前眼部撮影機、眼底カメラ、共焦点レーザー走査検眼鏡（Scanning Laser Ophthalmoscope：ＳＬＯ）等で
ある。中でも、光干渉断層法（Optical Coherence Tomography：ＯＣＴ）を用いる撮像装置（以下、ＯＣＴ装置とも呼ぶ。）は、被検査物の断層像（断層画像）を高解像度に得ることができるため、網膜の専門外来では必要不可欠な装置になりつつある。
【０００３】
ＯＣＴ装置では、光源として低コヒーレント光源が用いられている。光源からの光はビームスプリッタなどの分割光路を介して測定光と参照光に分けられる。測定光は測定光路を介して眼などの被検査物に照射され、その戻り光は検出光路を介して検出位置に導かれる。戻り光とは、被検査物の光の照射方向に対する界面に関する情報等が含まれる反射光や散乱光のことである。参照光は参照光路を介して検出位置に導かれる。検出位置には戻り光と参照光が干渉した干渉光が入力される。具体的には、干渉光は、分光器などの光学素子を介して波長単位に分解された後（干渉光の波長スペクトルを一括して得た後）、ＣＣＤラインセンサ、ＣＭＯＳラインセンサなどの光電変換素子に導かれる。そして、光電変換素子によって、干渉光の強度が、波長毎に、アナログ電気信号に変換される。さらに、変換されたアナログ電気信号はＡ／Ｄ変換器でデジタル電気信号に変換される。また、変換されたデジタル電気信号には、フーリエ変換処理などが施される。それにより、被検査物の断層像が得られる。一般的に、一括して得られた波長スペクトルから被検査物の断層像を得るＯＣＴ装置は、ＳＤ−ＯＣＴ（Spectral Domain OCT）装置と呼ばれている。
【０００４】
ＯＣＴ装置において、干渉光の干渉成分の強度は、干渉光全体の強度に対して著しく小さい。具体的には、ダイナミックレンジが１０ｂｉｔ（１０２４階調）のＡ／Ｄ変換器を用いて干渉光の強度（アナログ電気信号；光電変換信号）をデジタル電気信号に変換した場合、干渉光における干渉成分の強度は、１００階調程度の大きさとなる。即ち、Ａ／Ｄ変換器のダイナミックレンジの１０％程度の大きさとなる。そのため、干渉光の光電変換信号をそのままＡ／Ｄ変換すると、断層像を得るために必要な干渉成分のデジタル信号レベル（デジタル電気信号のレベル）は著しく小さくなってしまい、得られる断層像は階調性の乏しい画像となってしまう。
このような問題に鑑みた従来技術として、干渉光のパワースペクトルを全周波数帯域にわたって積分し、その積分値に応じてＡ／Ｄ変換器の測定レンジを設定する技術がある（特許文献１）。
【０００５】
ところで、眼底の状態を観測するためのＳＤ−ＯＣＴ装置には、眼の組織の吸収特性や反射特性、及び、網膜等の眼底の断層情報を取得するための分解能を鑑みて、８１５〜８６５ｎｍの波長域の光を用いることが好ましい。現在一般的に市場で入手可能な光源において、そのような波長域の光は、図４（ａ）の波形１３０１に示すように、波長毎に強度が異なる波長特性を有する。そして、そのような光を用いて得られる干渉光の波形は、図４（ａ）の波形１３０２のようになる。なお、図４（ａ）では、干渉光の状態をわかり易くするため、干渉成分の光強度を大きく、波数を小さく示している。
【０００６】
波形１３０２に示すような干渉光に基づいて、特許文献１に開示の方法でＡ／Ｄ変換器
の測定レンジを設定すると、上述した波長毎の強度のばらつきが考慮されないため、Ａ／Ｄ変換器のダイナミックレンジを有効利用することができない場合がある。そのため、良好な眼底の断層像を得ることが困難となってしまう。
【先行技術文献】
【特許文献】
【０００７】
【特許文献１】特開平５−６０６１５号公報
【発明の概要】
【発明が解決しようとする課題】
【０００８】
そこで、本発明は、Ａ／Ｄ変換器のダイナミックレンジを有効利用することができ、ひいては良好な断層画像を得ることのできる技術を提供することを目的とする。
【課題を解決するための手段】
【０００９】
本発明の撮像装置は、光源からの光を測定光と参照光とに分割し、測定光を被検査物に照射したときに被検査物から戻される戻り光と、参照光との干渉光の強度を波長毎に光電変換手段によってアナログ電気信号に変換し、アナログ電気信号をＡ／Ｄ変換手段によりデジタル電気信号に変換し、波長毎のデジタル電気信号に基づいて被検査物の断層画像を取得するための、光干渉断層法を用いる撮像装置であって、光電変換手段へ導かれる戻り光を遮断する遮断手段と、戻り光を遮断した状態でＡ／Ｄ変換手段により得られるデジタル電気信号である参照光信号の波長毎の値が、Ａ／Ｄ変換手段の入力レンジの中央部となるように、光電変換手段から出力されるアナログ電気信号の波長毎の値、あるいはＡ／Ｄ変換手段の波長毎の入力レンジを調整する調整手段と、を有する。
【００１０】
本発明の制御方法は、光源からの光を測定光と参照光とに分割し、測定光を被検査物に照射したときに被検査物から戻される戻り光と、参照光との干渉光の強度を波長毎に光電変換手段によってアナログ電気信号に変換し、アナログ電気信号をＡ／Ｄ変換手段によりデジタル電気信号に変換し、波長毎のデジタル電気信号に基づいて被検査物の断層画像を取得するための、光干渉断層法を用いる撮像装置の制御方法であって、光電変換手段へ導かれる戻り光を遮断するステップと、戻り光を遮断した状態でＡ／Ｄ変換手段により得られるデジタル電気信号である参照光信号の波長毎の値が、Ａ／Ｄ変換手段の入力レンジの中央部となるように、光電変換手段から出力されるアナログ電気信号の波長毎の値、あるいはＡ／Ｄ変換手段の波長毎の入力レンジを調整するステップと、を有する。
【００１１】
本発明のプログラムは、光源からの光を測定光と参照光とに分割し、測定光を被検査物に照射したときに被検査物から戻される戻り光と、参照光との干渉光の強度を波長毎に光電変換手段によってアナログ電気信号に変換し、アナログ電気信号をＡ／Ｄ変換手段によりデジタル電気信号に変換し、波長毎のデジタル電気信号に基づいて被検査物の断層画像を取得するための、光干渉断層法を用いる撮像装置に、光電変換手段へ導かれる戻り光を遮断する遮断手段を制御させ、戻り光を遮断した状態でＡ／Ｄ変換手段により得られるデジタル電気信号である参照光信号の波長毎の値が、Ａ／Ｄ変換手段の入力レンジの中央部となるように、光電変換手段から出力されるアナログ電気信号の波長毎の値、あるいはＡ／Ｄ変換手段の波長毎の入力レンジを調整させる。
本発明の記憶媒体（コンピュータが読み取り可能な記憶媒体）は、上記プログラムを格納する。
【発明の効果】
【００１２】
本発明によれば、Ａ／Ｄ変換器のダイナミックレンジを有効利用することができ、ひいては良好な断層画像を得ることのできる技術を提供することができる。
【図面の簡単な説明】
【００１３】
【図１】本実施形態に係る撮像装置の構成の一例を示す図。
【図２】Ａ／Ｄ変換器の入力レンジを設定する際の処理の流れの一例を示す図。
【図３】本実施形態に係る画像情報処理部の機能・構成の一例を示す図。
【図４】参照光信号、干渉光信号、リファレンス信号の一例を示す図。
【図５】干渉光信号の一例を示す図。
【図６】干渉光信号の一例を示す図。
【図７】断層像を撮影する際の処理の流れの一例を示す図。
【図８】断層像を撮影する際の処理の流れの一例を示す図。
【図９】参照光信号、オフセット調整テーブル、増幅テーブルの一例を示す図。
【発明を実施するための形態】
【００１４】
＜実施例１＞
本発明の実施例１に係る撮像装置（光干渉断層法を用いる撮像装置）およびその制御方法として、眼科用のＯＣＴ装置および該装置による撮像方法（光干渉断層法を用いる撮像方法）について図を用いて説明する。
（構成）
まず、本実施例に係るＳＤ−ＯＣＴ装置の構成について説明する。図１（ａ）は本実施例に係るＳＤ−ＯＣＴ装置の構成を示す図である。光源１０１から出射された光はビームスプリッタ１０２によって参照光１１２と測定光１１１とに分割される。測定光１１１は、観察対象（被検査物；眼１０５）に照射されると、反射や散乱によって戻り光１１３となって戻される。戻り光１１３と参照光１１２は、ビームスプリッタ１０２によって合波され、干渉光１１４となる。干渉光１１４は、回折格子１０７により分光され、レンズ１０８を通ってラインセンサ１０９に照射される。そして、ラインセンサ１０９が、干渉光の強度を波長毎にアナログ電気信号に変換（光電変換）し、画像情報処理部１１０に出力する。画像情報処理部１１０は、入力されたアナログ電気信号をデジタル電気信号に変換（Ａ／Ｄ変換）し、波長毎のデジタル電気信号に基づいて被検査物の断層像（断層画像）を取得する。具体的には、画像情報処理部１１０は、波長毎のデジタル電気信号にフーリエ変換処理などの処理を施すことにより、眼１０５の断層像を得る。
【００１５】
画像情報処理部１１０の機能を図３（ａ）のブロック図を用いてより詳しく説明する。画像情報処理部１１０は、Ａ／Ｄ変換器３０１、Ｄ／Ａ変換器３０２、ＦＦＴ（Fast Fourier Transform）処理部３０３、メモリ３０４で構成されている。Ａ／Ｄ変換器３０１は、Ｄ／Ａ変換器３０２から出力されるTop_ref信号３０５を入力レンジの上限、Bottom_ref信号３０６を下限として、アナログ電気信号を１０２４階調（１０ｂｉｔ）のデジタル
電気信号に変換する。Ａ／Ｄ変換器３０１の出力（デジタル電気信号）は、メモリ３０４に記録される。また、メモリ３０４には、後述するＡ／Ｄ変換器３０１のリファレンステーブルが記録される。ＦＦＴ処理部３０３はメモリ３０４に記録されたデジタル電気信号をＦＦＴ変換する。ＦＦＴ変換された信号は、不図示のＰＣなどの計算手段で所定の処理が施され、（眼底の）断層像に変換される。
【００１６】
光源１０１についてより詳しく説明する。光源１０１から出射される光は、眼を測定することを鑑みると、近赤外光が望ましい。その波長は、得られる断層像の横方向（光軸と垂直な方向）の分解能に影響し、短波長であることが望ましい。また、バンド幅（波長幅）は、得られる断層像の光軸方向の分解能に影響するため、重要なパラメーターである。本実施例では光源１０１として、代表的な低コヒーレント光源であるＳＬＤ（Super Luminescent Diode）を用いる。また、光源１０１から出射される光の（中心の）波長は８４
０ｎｍ、バンド幅は５０ｎｍとする。
図４（ａ）に光源１０１からの光の波長特性（周波数特性）を示す。波長特性は、ガウシアン曲線と一致することが理想的である。しかしながら現状では、波長特性は波形１３
０１のようになる。具体的には、８１５〜８６５ｎｍの波長域（５０ｎｍのバンド幅）の光を実現するために、中心波長の異なる光を出射する２つの光源（例えば、ＬＥＤ）が用いられている。そのため、波形１３０１は２つのピークを有する。
なお、光源は、低コヒーレント光が出射できればよく、ＡＳＥ（Amplified Spontaneous Emission）等であってもよい。また、被検査物（測定部位の種類）に応じて、光源を選択してもよい（例えば、使用する光の波長域を選択し、それに応じて光源を決定してもよい）。
【００１７】
参照光１１２の光路についてより詳しく説明する。ビームスプリッタ１０２によって分割された参照光１１２は、ミラー１０６により反射され、ビームスプリッタ１０２に戻る。ビームスプリッタ１０２によって分割されてからビームスプリッタ１０２に戻るまでの参照光１１２の光路長は、ビームスプリッタ１０２によって分割されてから戻り光１１３となってビームスプリッタ１０２に戻るまでの測定光１１１の光路長と等しくされる。それにより、参照光１１２と測定光１１１（戻り光１１３）を干渉させることができる。
【００１８】
測定光１１１の光路についてより詳しく説明する。ビームスプリッタ１０２によって分割された測定光１１１は、ＸＹスキャナ１０３のミラーに入射され、反射される。ＸＹスキャナ１０３で反射された測定光１１１は、レンズ１０４を介して網膜上に集光される。そして、測定光１１１は、網膜で反射や散乱し、戻り光１１３となって戻される。戻り光１１３は、レンズ１０４、ＸＹスキャナ１０３のミラーを介してビームスプリッタ１０２に入射される。ＸＹスキャナ１０３は、眼１０５の網膜上を光軸に垂直な方向にラスタースキャンするためのものである。測定光１１１の中心はＸＹスキャナ１０３のミラーの回転中心と一致するように調整されている。
なお、図１（ａ）では、ＸＹスキャナ１０３を１つのミラーとして示しているが、実際にはＸスキャン用ミラーとＹスキャン用ミラーとの２枚のミラーが近接して配置されている。
【００１９】
次に分光系についてより詳しく説明する。干渉光１１４は、回折格子１０７により、光源１０１から出射される光の（中心の）波長、バンド幅と同じ波長条件で分光される。即ち、図４（ａ）に示したような波長特性の光が、回折格子１０７、レンズ１０８を介してラインセンサ１０９の全長に照射される。それにより、図４（ｂ）に示すように、図４（ａ）の横軸である波長（光波長）がそのまま画素位置となる。
また、本実施例では、ラインセンサ１０９へ導かれる戻り光１１３（干渉光１１４中の戻り光）を遮断することにより、参照光１１２のみをラインセンサ１０９に照射する制御を行う。具体的には、ＸＹスキャナ１０３のミラーを大きく動かすことにより、測定光１１１をレンズ１０４から外す。それにより、ラインセンサ１０９には参照光のみが入射されることになる。
なお、本実施例では、ラインセンサ１０９として、１ラインの画素数が１０２４（画素位置０〜１０２３）であるＣＣＤラインセンサを用いるものとするが、ラインセンサ１０９はＣＭＯＳラインセンサであってもよい。
また、上記各ユニット（機能）は制御部１２０がプログラムを実行することにより制御される。例えば、プログラムは、コンピュータが読み取り可能な記憶媒体に格納されており、コンピュータ（制御部１２０）は、該記憶媒体からプログラムを読み出し実行することで上記各ユニットを制御する。上記記憶媒体は、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ、ＥＥＰＲＯＭ、ブルーレイディスクなどである。
【００２０】
（動作）
次に、本実施例に係るＳＤ−ＯＣＴ装置の動作について説明する。
図２を用いて、Ａ／Ｄ変換器３０１の入力レンジ（具体的には、リファレンス信号（リ
ファレンス電圧））を設定する際の処理の流れについて説明する。本実施例では、戻り光１１３を遮断した状態でＡ／Ｄ変換器３０１により得られるデジタル電気信号（参照光信号）の波長毎の値が、Ａ／Ｄ変換器３０１の入力レンジの中央部となるように、Ａ／Ｄ変換器３０１の波長毎の入力レンジを調整する。中央部は、Ａ／Ｄ変換器３０１の入力レンジの中間値（あるいは半分となる値）であることが好ましいが、必ずしもこれに限らない。中央部は、該中間値の上下近傍を含む範囲内の値であってもよい（即ち、参照光信号の波長毎の値が、Ａ／Ｄ変換器３０１の入力レンジの中間値の上下近傍を含む範囲内の値となるように、Ａ／Ｄ変換器３０１の波長毎の入力レンジを調整すればよい）。中間値の上下近傍を含む範囲は、本発明の効果を得られる（Ａ／Ｄ変換器のダイナミックレンジを有効に利用できる）範囲である。
【００２１】
まず、制御部１２０が、Ａ／Ｄ変換器３０１の入力レンジの上限（Top_ref信号の値）
と下限（Bottom_ref信号の値）に初期値を設定する（Ｓ２０１）。初期値は、例えば、波長毎（画素位置毎）に異なる値であってもよいし、同じ値であってもよい。
次に、制御部１２０が、測定光１１１がレンズ１０４から外れるように（即ち、ラインセンサ１０９に参照光１１２のみが入射するように）、ＸＹスキャナ１０３のミラーを動かす（制御する）。そして、その状態でＡ／Ｄ変換器３０１によって得られるデジタル電気信号を参照光信号としてメモリ３０４に記録する（Ｓ２０２）。
【００２２】
次に、制御部１２０が、参照光信号の波長毎の値のピーク（本実施例では２つのピークのうち大きい方）を検出し、そのピークの値（ピーク値）が８００以上か否か判定する（Ｓ２０３）。ピーク値が８００以上である場合には（Ｓ２０３：ＹＥＳ）、Top_ref信号
の値を３％増加し（Ｓ２０４）、Ｓ２０２へ戻る。なお、参照光信号の値は、Top_ref信
号の値を１０２３、Bottom_ref信号の値を０として算出される。そのため、Top_ref信号
の値を大きくすれば、参照光信号の値は小さくなる。ピーク値が８００未満となるまで、Ｓ２０２〜Ｓ２０４の処理を繰り返す。ピーク値が８００未満の場合には（Ｓ２０３：ＮＯ）、Ｓ２０５へ進む。
【００２３】
Ｓ２０５では、制御部１２０が、ピーク値が６００以下か否かを判定する。ピーク値が６００以下の場合には（Ｓ２０５：ＮＯ）、Top_ref信号の値を３％減少し（Ｓ２０６）
、Ｓ２０７へ進む。Ｓ２０７では、Ｓ２０２と同様に参照光信号が取得され記録される。ピーク値が６００より大きくなるまで、Ｓ２０５〜Ｓ２０７の処理を繰り返す。ピーク値が６００より大きい場合には（Ｓ２０５：ＹＥＳ）、Ｓ２０８へ進む。
なお、本実施例では、Top_ref信号の値を±３％増減する方法を用いているが、ピーク
値が所定の範囲（本実施例では６０１から７９９の範囲）内に収まればリファレンス電圧をどのように調整してもよい。例えば、Top_ref信号の値を増減する割合を変更しても良
い（±３％でなくてもよい）。
【００２４】
次に、制御部１２０が、Ｓ２０２〜Ｓ２０７の工程を得て設定されたリファレンス電圧（入力レンジ）で、複数ライン分の参照光信号を取得する。そして、取得した複数ライン分の参照光信号をノイズを除去するために平均し、１ライン分の参照光信号としてメモリ３０４に記録する（Ｓ２０８）。
次に、制御部１２０が、記録された１ライン分の参照光信号の波長毎（画素位置毎）の値に第１の所定値、第２の所定値を乗算した値を、それぞれ、波長毎のTop_ref信号の値
、Bottom_ref信号の値として設定（再設定）する（Ｓ２０９）。具体的には、参照光信号（図４（ｂ）の符号８０１）の波長毎の値に１．２を乗算した値を、波長毎のTop_ref信
号（図４（ｂ）の符号８０２）の値とする。参照光信号の波長毎の値に０．８を乗算した値を、波長毎のBottom_ref信号（図４（ｂ）の符号８０３）の値とする。設定された波長毎のTop_ref信号の値とBottom_ref信号の値は、リファレンステーブルとしてメモリ３０
４に記録される。
以上の処理を経て、Ａ／Ｄ変換器３０１の波長毎の入力レンジが調整される。
このように、本実施例では、参照光信号の波長毎の値に第１の所定値、第２の所定値を乗算した値が、それぞれ、波長毎のTop_ref信号の値、Bottom_ref信号の値とされる。そ
れにより、参照光信号の値を波長（画素位置）によらず一定（本実施例では５１２）とすることができる。
【００２５】
なお、上記の方法は、光源の特性、装置を構成する光学系の特性、被検査物の光の吸収特性、反射特性に鑑みた方法であり、光源の特性、被検査物の特性に応じて入力レンジの調整方法を選択してもよい。例えば、初期値を設定するために用いた１．２や０．８、入力レンジを再調整するために用いた±３％，６００，８００などの値を変更してもよい。
【００２６】
図７を用いて、被検査物（本実施例では眼（眼底））の断層像を撮影する際の処理の流れを説明する。なお、干渉光がラインセンサ１０９に照射され、波長毎（画素位置毎）のアナログ電気信号が画像情報処理部１１０に入力されるまでの動作については、上述したとおりであるため説明を省略する。以下では、画像情報処理部１１０の動作について詳しく説明する。
【００２７】
まず、制御部１２０が、画素位置ｎを“０”に設定する（Ｓ１５０１）。次に、制御部１２０が、メモリ３０４に記録されたリファレンステーブルから、画素位置ｎに対応するTop_ref信号の値とBottom_ref信号の値を読み出し、Ｄ／Ａ変換器３０２を介してＡ／Ｄ
変換器３０１に設定する（Ｓ１５０２）。
そして、Ａ／Ｄ変換器３０１が、設定されたTop_ref信号の値とBottom_ref信号の値に
基づいて、入力されるアナログ電気信号（画素位置ｎのアナログ電気信号）をデジタル電気信号（干渉光信号）に変換する（Ｓ１５０３）。そして、干渉光信号をメモリ３０４に記録する（Ｓ１５０４）。
次に、制御部１２０が、ｎに１を加算し（Ｓ１５０５）、ｎが１０２４か否か判定する（Ｓ１５０６）。ｎが１０２４未満であった場合には（Ｓ１５０６：ＮＯ）、Ｓ１５０２へ戻る。ｎが１０２４になった場合（Ｓ１５０６：ＹＥＳ）、即ち、１ライン上の全ての画素位置についてＡ／Ｄ変換が行われた場合には、Ｓ１５０７へ進む。
次に、ＦＦＴ処理部３０３が、メモリ３０４に記録された１ライン分の干渉光信号をＦＦＴ変換する（Ｓ１５０７）。ＦＦＴ変換された信号は、不図示のＰＣに送られ、断層像に変換される。
【００２８】
図５（ａ）は、Top_ref信号とBottom_ref信号の値が初期値である場合に得られる干渉
光信号９０１の様子を示す図である。図５（ａ）には、参照光信号８０１、Top_ref信号
８０２、及び、Bottom_ref信号８０３を併せて示している。図５（ｂ）は、Top_ref信号
８０２とBottom_ref信号８０３を用いて得られる干渉光信号９０２を示す図である。図示するように、干渉光信号９０２は、特定のレベル（５１２レベル）を中心として干渉成分を有する信号となる。
上述したように、本実施例によれば、光源からの光の波長特性を考慮して、Ａ／Ｄ変換器の波長毎の入力レンジが調整される。それにより、Ａ／Ｄ変換器のダイナミックレンジを有効利用することができ、ひいては良好な断層画像を得ることができる。
【００２９】
＜実施例２＞
次に、本発明の実施例２に係る光干渉断層撮像装置および方法について図を用いて説明する。実施例１ではＡ／Ｄ変換器の波長毎の入力レンジを調整したが、本実施例では、ラインセンサから出力されるアナログ電気信号の波長毎の値を調整する。
なお、実施例２で用いるＡ／Ｄ変換器は、０Ｖを中心とするref信号（Top_ref信号、Bottom_ref信号）に応じてＡ／Ｄ変換するものである。すなわち、本実施例では、Top_ref
信号が＋refＶ、Bottom_ref信号が−refＶとなるＡ／Ｄ変換器を用いる。また、ここでは
、実施例１の説明と合わせるため、アナログ入力信号レベルが−refＶのときに、デジタ
ル信号として０が出力されるものとする。アナログ入力信号レベルが０Ｖのときに、デジタル信号として５１２が出力されるものとする。アナログ入力信号レベルが＋refＶのと
きに、デジタル信号として１０２３が出力されるものとする。また、実施例２では、Top_ref信号とBottom_ref信号、すなわちref信号の値は、波長の値（画素位置）によらず同じ値であるものとする。
（構成）
まず、本実施例に係る撮像装置の画像情報処理部１１０の構成について図３（ｂ）を用いて説明する。なお、他の機能は図１（ａ）と同様のため、説明を省略する。また、図３（ｂ）において、実施例１（図３（ａ））と同様の機能については同じ符号を付し、説明を省略する。
【００３０】
オフセット調整器４０１は、Ｄ／Ａ変換器３０２から出力されるオフセット信号４０３を用いて、ラインセンサ１０９から出力されるアナログ電気信号を調整する。具体的には、オフセット調整器４０１は、ラインセンサ１０９から出力されるアナログ電気信号の値に所定のオフセット値（オフセットレベル；オフセット調整値）を加算して出力する回路である。
可変増幅器４０２は、Ｄ／Ａ変換器３０２から出力されるゲイン信号４０４を用いて、オフセット値が加算されたアナログ電気信号の値を、所定の増幅率で増幅して出力する回路である。
【００３１】
（動作）
次に、本実施例に係る撮像装置の動作について説明する。
図８（ａ）を用いて、オフセット信号４０３の値（オフセット値）、及び、ゲイン信号４０４の値（増幅率）を設定（調整）する際の処理の流れについて説明する。
【００３２】
まず、制御部１２０が、オフセット調整器４０１にオフセット値の初期値（本実施例では“０”）を設定し、可変増幅器４０２に増幅率の初期値（所定の値）を設定する（Ｓ１７０１）。
次に、制御部１２０が、測定光１１１がレンズ１０４から外れるように、ＸＹスキャナ１０３のミラーを動かし（制御し）、その状態で複数ライン分の参照光信号を取得する。そして、取得した参照光信号を平均し、１ライン分の参照光信号としてメモリ３０４に記録する（Ｓ１７０２）。
【００３３】
次に、制御部１２０が、記録された１ライン分の参照光信号の波長毎の値に基づいて波長毎のオフセット値を調整する（Ｓ１７０３）。具体的には、１０ｂｉｔ（１０２４階調）の中心である５１２レベルに参照光信号を合わせるため、波長毎（画素位置毎）に、５１２から参照光信号の値Ｃａ（ｎ）を減算した値をオフセット値Ｏ（ｎ）とする（式１）。なお、ｎは画素位置を示す０〜１０２３の整数である。調整（算出）された波長毎のオフセット値はオフセットレベル調整テーブルとしてメモリ３０４に記録される。図９（ａ）は参照光信号８０１とオフセット調整テーブル１９０１の関係を示す図である。
Ｏ（ｎ）＝５１２−Ｃａ（ｎ）          （式１）
このように、参照光信号の波長毎の値に基づいて波長毎のオフセット値を調整することにより、参照光信号の値を波長（画素位置）によらず一定（本実施例では５１２）とすることができる。
【００３４】
次に、制御部１２０が、記録された１ライン分の参照光信号の波長毎の値に基づいて波長毎の増幅率の値を調整する（Ｓ１７０４）。具体的には、波長毎（画素位置毎）に、１０２４を参照光信号の値Ｃａ（ｎ）で除算した値を増幅率Ｇ（ｎ）とする（式２）。調整（算出）された波長毎の増幅率は増幅テーブルとしてメモリ３０４に記録される。図９（
ｂ）は参照光信号８０１と増幅テーブル２００１の関係を示す図である。
Ｇ（ｎ）＝１０２４÷Ｃａ（ｎ）          （式２）
以上の処理を経て、オフセット値及び増幅率が設定される。
【００３５】
次に、図８（ｂ）を用いて、被検査物の断層像を撮影する際の処理の流れを説明する。以下では、画像情報処理部１１０の動作について詳しく説明する。
まず、制御部１２０が、画素位置ｎを“０”に設定する（Ｓ１８０１）。次に、Ｓ１８０２において、制御部１２０が、メモリ３０４に記録されたオフセット調整テーブルから、画素位置ｎに対応するオフセット値Ｏ（ｎ）を読み出し、Ｄ／Ａ変換器３０２を介してオフセット調整器４０１に送る（設定する）。また、増幅テーブルから画素位置ｎに対応する増幅率Ｇ（ｎ）を読み出し、Ｄ／Ａ変換器３０２を介して可変増幅器４０２に送る（設定する）。
そして、オフセット調整器４０１及び可変増幅器４０２により、干渉光のアナログ電気信号の値が調整され、Ａ／Ｄ変換器３０１によってデジタル電気信号（干渉光信号）に変換される（Ｓ１８０３）。
Ｓ１８０４〜Ｓ１８０７の処理は、図７のＳ１５０４〜Ｓ１５０７の処理と同様のため説明を省略する。但し、ｎが１０２４未満であった場合には（Ｓ１８０６：ＮＯ）、Ｓ１８０２へ戻る。
【００３６】
図６（ａ）は、調整されたオフセット値を用いて得られる干渉光信号２１０１を示す図である。図示するように、干渉光信号２１０１は、特定のレベル（５１２レベル）を中心として干渉成分を有する信号となる。図６（ｂ）は、調整されたオフセット値及び増幅率を用いて得られる干渉光信号２２０１を示す図である。
上述したように、本実施例によれば、光源からの光の波長特性を考慮して、アナログ電気信号の波長毎の値が調整される。それにより、Ａ／Ｄ変換器のダイナミックレンジを有効利用することができ、ひいては良好な断層像を得ることができる。
なお、実施例１と実施例２を組み合わせてもよい。例えば、干渉光のオフセット成分をオフセット調整器４０１で調整し、Ａ／Ｄ変換器３０１のTop_ref信号の値を参照光情報
に基づき画素ごとに調整することにより、Ａ／Ｄ変換器３０１のダイナミックレンジを有効に使用することができる。
【００３７】
＜実施例３＞
実施例１，２ではＳＤ−ＯＣＴ装置に本発明を適用した例を説明したが、本実施例では、本発明をＦＤ−ＯＣＴ（Fourier domain OCT）の別の方式であるＳＳ−ＯＣＴ（Swept Source OCT）に適用した例について説明する。なお、実施例１，２と同様の構成等については説明を省略する。
図１（ｂ）は、ＳＳ−ＯＣＴ装置の構成を示す図である。ＳＳ−ＯＣＴでは、分光器で干渉光を分光するのではなく、光源１１５から出力される光の波長を切り換える。具体的には、光源１１５として、バンド幅を持った低コヒーレント光ではなく、光の波長を走査（変更）することのできる光源（Swept Source）が用いられる。そして、受光素子１１６が、干渉光の強度をアナログ電気信号に変換し、画像情報処理部１１０へ送信する。光源の波長の走査と画像情報処理部１１０の動作を同期させることにより、実施例１，２と同様の参照光信号、干渉光信号が得られる。
そして、実施例１，２と同様にアナログ電気信号の波長毎の値やＡ／Ｄ変換器の波長毎の値を調整することにより、Ａ／Ｄ変換器のダイナミックレンジを有効利用することができ、ひいては良好な断層像を得ることができる。
なお、光源１１５は、例えば、リング型のファイバレーザ共振器内に、共振器長を微小に変化させることのできるミラー共振器を挿入することで実現できる。また、受光素子１１６としては、例えば、ＰＩＮ型フォトダイオードを適用すればよい。
【００３８】
以上述べたように、本実施形態（実施例１〜３）によれば、アナログ電気信号の波長毎の値やＡ／Ｄ変換器の波長毎の値を調整することにより、Ａ／Ｄ変換器のダイナミックレンジを有効利用することができ、ひいては良好な断層像を得ることができる。
なお、上記実施例１〜３において、３次元の断層像を取得する場合には、ＸＹスキャナにより測定光の集光位置（２次元方向（測定光の光軸に垂直な方向）の位置）を動かせばよい。そして、集光位置毎にＳ１５０１〜Ｓ１５０７やＳ１８０１〜Ｓ１８０７の工程を繰り返し行えばよい。
なお、上記実施例１〜３では、ＸＹスキャナのミラーを大きく動かすことにより、戻り光を遮断するものとしたが、戻り光を遮断することができれば、どのような方法を用いてもよい。例えば、シャッターなどによって測定光（戻り光）を遮断してもよい。
【符号の説明】
【００３９】
１０１，１１５…光源  １０２…ビームスプリッタ  １０５…眼  １０７…回折格子  １０９…ラインセンサ  １１０…画像情報処理部  １１１…測定光  １１２…参照光  １１３…戻り光  １１４…干渉光  １１６…受光素子  ３０１…Ａ／Ｄ変換器  ８０１…参照光信号
【図１】
2011021945.tif 000003
【図２】
2011021945.tif 000004
【図３】
2011021945.tif 000005
【図４】
2011021945.tif 000006
【図５】
2011021945.tif 000007
【図６】
2011021945.tif 000008
【図７】
2011021945.tif 000009
【図８】
2011021945.tif 000010
【図９】
2011021945.tif 000011